【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
複数の図柄を表示した複数のリールと、
各前記リールごとに設けられ、前記リールの回転を停止させるときに遊技者が操作するストップスイッチと、
遊技者にとって有利となる特別遊技に移行させるための特別役を含む役の抽選を行う役抽選手段と、
遊技の開始により前記リールを回転させるとともに、前記ストップスイッチが操作されたときに、前記ストップスイッチに対応する前記リールを停止制御するリール制御手段と
を備え、
遊技状態として、遊技状態Ａ、遊技状態Ｂ、及び出玉率が遊技状態Ｂよりも高く設定された遊技状態Ｃを備え、
前記リール制御手段は、遊技状態Ａにおいて前記役抽選手段で第１の役抽選結果となった場合に、前記ストップスイッチが特定操作態様で操作されたときは図柄の組合せＸを有効ラインに停止可能とし、前記ストップスイッチが特定操作態様で操作されなかったときは図柄の組合せＸを有効ラインに停止させないように前記リールを停止制御し、
遊技状態Ａにおいて図柄の組合せＸが有効ラインに停止したときは、遊技状態Ｃに移行するように制御し、
前記リール制御手段は、遊技状態Ａにおいて前記役抽選手段で第２の役抽選結果となった場合に、前記ストップスイッチが特定操作態様で操作されたときは図柄の組合せＹを有効ラインに停止させ、前記ストップスイッチが特定操作態様で操作されなかったときは図柄の組合せＹを有効ラインに停止させないように前記リールを停止制御し、
遊技状態Ａにおいて図柄の組合せＹが有効ラインに停止したときは、遊技状態Ｂに移行するように制御し、
遊技状態Ａにおいて前記役抽選手段で前記特別役に当選したのちであって、少なくとも前記特別役に対応する図柄の組合せが有効ラインに停止するまでの遊技では、遊技状態Ｂ又は遊技状態Ｃへの移行を行わないように制御し、
遊技状態Ａにおいて前記役抽選手段で前記特別役に当選する前に前記第１の役抽選結果となったときに、前記ストップスイッチを特定操作態様で操作すべき旨を報知する操作情報報知手段を備える
ことを特徴とするスロットマシン。
【請求項２】
請求項１に記載のスロットマシンにおいて、
遊技状態Ａにおいて前記役抽選手段で前記第２の役抽選結果となる確率は、前記第１の役抽選結果となる確率よりも高く設定されている
ことを特徴とするスロットマシン。
【請求項３】
請求項１又は請求項２に記載のスロットマシンにおいて、
前記特別遊技中に、前記特別遊技の終了後の遊技状態Ａにおいて前記操作情報報知手段による報知を行うか否かを決定する
ことを特徴とするスロットマシン。
【請求項４】
請求項１から請求項３までのいずれか１項に記載のスロットマシンにおいて、
遊技状態Ｃにおいて所定の条件を満たしたときは遊技状態Ａに移行し、
前記操作情報報知手段による報知を何回行うかを決定する報知回数決定手段を備え、
遊技状態Ｃへの移行時、又は遊技状態Ｃのときの所定のタイミングで、前記操作情報報知手段による残り報知回数に応じた演出を出力する演出制御手段を備える
ことを特徴とするスロットマシン。
【請求項５】
複数の図柄を表示した複数のリールと、
各前記リールごとに設けられ、前記リールの回転を停止させるときに遊技者が操作するストップスイッチと、
遊技の開始により前記リールを回転させるとともに、前記ストップスイッチが操作されたときに、前記ストップスイッチが操作された瞬間から前記リールが停止するまでの移動図柄数が所定数の範囲内において、前記ストップスイッチに対応する前記リールを停止制御するリール制御手段と
を備え、
前記リールの図柄の組合せの１つとして、図柄の組合せＸが設けられており、
図柄の組合せＸを構成する各前記リールの図柄は、それぞれ前記所定数の範囲内で配置されていることにより、前記リール制御手段は、前記ストップスイッチがいかなるタイミングで操作されたときであっても、常に、図柄の組合せＸを有効ラインに停止させることが可能であり、
遊技状態として、遊技状態Ａ、遊技状態Ｂ、及び出玉率が遊技状態Ｂよりも高く設定された遊技状態Ｃを備え、
前記リール制御手段は、遊技状態Ａであって図柄の組合せＸを有効ラインに停止可能な条件を満たした場合において、前記ストップスイッチが操作態様Ｔ１で操作されたときは図柄の組合せＸを有効ラインに停止可能とし、前記ストップスイッチが操作態様Ｔ２（Ｔ２≠Ｔ１）で操作されたときは図柄の組合せＸを有効ラインに停止させないように前記リールを停止制御し、
遊技状態Ａにおいて図柄の組合せＸが有効ラインに停止したときは、遊技状態Ｃに移行するように制御し、
前記リール制御手段は、遊技状態Ａであって図柄の組合せＹを有効ラインに停止可能な条件を満たした場合において、前記ストップスイッチが操作態様Ｔ１で操作されたときは図柄の組合せＹを有効ラインに停止させ、前記ストップスイッチが操作態様Ｔ２で操作されたときは図柄の組合せＹを有効ラインに停止させないように前記リールを停止制御し、
遊技状態Ａにおいて図柄の組合せＹが有効ラインに停止したときは、遊技状態Ｂに移行するように制御し、
遊技状態Ａであって図柄の組合せＸを有効ラインに停止可能な遊技において、前記ストップスイッチを操作態様Ｔ１で操作すべき旨を報知する操作情報報知手段を備える
ことを特徴とするスロットマシン。
【手続補正２】
【補正対象書類名】明細書
【補正対象項目名】０００５
【補正方法】変更
【補正の内容】
【０００５】
本発明は、以下の解決手段によって、上述の課題を解決する。
請求項１の発明は、複数の図柄を表示した複数のリールと、各前記リールごとに設けられ、前記リールの回転を停止させるときに遊技者が操作するストップスイッチと、遊技者にとって有利となる特別遊技に移行させるための特別役を含む役の抽選を行う役抽選手段と、遊技の開始により前記リールを回転させるとともに、前記ストップスイッチが操作されたときに、前記ストップスイッチに対応する前記リールを停止制御するリール制御手段とを備え、遊技状態として、遊技状態Ａ、遊技状態Ｂ、及び出玉率が遊技状態Ｂよりも高く設定された遊技状態Ｃを備え、前記リール制御手段は、遊技状態Ａにおいて前記役抽選手段で第１の役抽選結果となった場合に、前記ストップスイッチが特定操作態様で操作されたときは図柄の組合せＸを有効ラインに停止可能とし、前記ストップスイッチが特定操作態様で操作されなかったときは図柄の組合せＸを有効ラインに停止させないように前記リールを停止制御し、遊技状態Ａにおいて図柄の組合せＸが有効ラインに停止したときは、遊技状態Ｃに移行するように制御し、前記リール制御手段は、遊技状態Ａにおいて前記役抽選手段で第２の役抽選結果となった場合に、前記ストップスイッチが特定操作態様で操作されたときは図柄の組合せＹを有効ラインに停止させ、前記ストップスイッチが特定操作態様で操作されなかったときは図柄の組合せＹを有効ラインに停止させないように前記リールを停止制御し、遊技状態Ａにおいて図柄の組合せＹが有効ラインに停止したときは、遊技状態Ｂに移行するように制御し、遊技状態Ａにおいて前記役抽選手段で前記特別役に当選したのちであって、少なくとも前記特別役に対応する図柄の組合せが有効ラインに停止するまでの遊技では、遊技状態Ｂ又は遊技状態Ｃへの移行を行わないように制御し、遊技状態Ａにおいて前記役抽選手段で前記特別役に当選する前に前記第１の役抽選結果となったときに、前記ストップスイッチを特定操作態様で操作すべき旨を報知する操作情報報知手段を備えることを特徴とする。
また、請求項５の発明は、複数の図柄を表示した複数のリールと、各前記リールごとに設けられ、前記リールの回転を停止させるときに遊技者が操作するストップスイッチと、遊技の開始により前記リールを回転させるとともに、前記ストップスイッチが操作されたときに、前記ストップスイッチが操作された瞬間から前記リールが停止するまでの移動図柄数が所定数の範囲内において、前記ストップスイッチに対応する前記リールを停止制御するリール制御手段とを備え、前記リールの図柄の組合せの１つとして、図柄の組合せＸが設けられており、図柄の組合せＸを構成する各前記リールの図柄は、それぞれ前記所定数の範囲内で配置されていることにより、前記リール制御手段は、前記ストップスイッチがいかなるタイミングで操作されたときであっても、常に、図柄の組合せＸを有効ラインに停止させることが可能であり、遊技状態として、遊技状態Ａ、遊技状態Ｂ、及び出玉率が遊技状態Ｂよりも高く設定された遊技状態Ｃを備え、前記リール制御手段は、遊技状態Ａであって図柄の組合せＸを有効ラインに停止可能な条件を満たした場合において、前記ストップスイッチが操作態様Ｔ１で操作されたときは図柄の組合せＸを有効ラインに停止可能とし、前記ストップスイッチが操作態様Ｔ２（Ｔ２≠Ｔ１）で操作されたときは図柄の組合せＸを有効ラインに停止させないように前記リールを停止制御し、遊技状態Ａにおいて図柄の組合せＸが有効ラインに停止したときは、遊技状態Ｃに移行するように制御し、前記リール制御手段は、遊技状態Ａであって図柄の組合せＹを有効ラインに停止可能な条件を満たした場合において、前記ストップスイッチが操作態様Ｔ１で操作されたときは図柄の組合せＹを有効ラインに停止させ、前記ストップスイッチが操作態様Ｔ２で操作されたときは図柄の組合せＹを有効ラインに停止させないように前記リールを停止制御し、遊技状態Ａにおいて図柄の組合せＹが有効ラインに停止したときは、遊技状態Ｂに移行するように制御し、遊技状態Ａであって図柄の組合せＸを有効ラインに停止可能な遊技において、前記ストップスイッチを操作態様Ｔ１で操作すべき旨を報知する操作情報報知手段を備えることを特徴とする。
【手続補正３】
【補正対象書類名】明細書
【補正対象項目名】００１２
【補正方法】変更
【補正の内容】
【００１２】
（作用）
上記発明においては、遊技状態Ａにおいて所定の報知が行われたときは、遊技状態Ｃ（遊技者にとって有利な遊技状態）に移行することができるが、前記所定の報知が行われないときは、遊技状態Ａから遊技状態Ｂに移行する（遊技状態Ｃに移行できない）可能性がある。